(57)【要約】【課題】白色画像を表示する表示パネルにエレクトロクロミック層を積層し、カラーフィルタや、赤（Ｒ）、緑（Ｇ）、青（Ｂ）のサブピクセルを使用しないで、容易に高精細カラー表示を可能とする。【解決手段】白色画像を表示する表示パネルと、前記表示パネル上に積層されるエレクトロクロミック層とを有する表示装置であって、前記エレクトロクロミック層に駆動電圧を印加する手段１と、前記表示パネルに前記白色画像を表示する手段２とを有し、前記エレクトロクロミック層は、印加される駆動電圧に応じて、前記エレクトロクロミック層を透過する透過光のスペクトルが制御可能であり、前記手段１は、前記手段２により前記表示パネルに表示される画像に同期して、前記エレクトロクロミック層に印加する駆動電圧を制御し、前記エレクトロクロミック層を透過する透過光のスペクトルを制御する。【選択図】      図１
2014119639.tif 000002
【特許請求の範囲】
【請求項１】
白色画像を表示する表示パネルと、
前記表示パネル上に積層されるエレクトロクロミック層とを有する表示装置であって、
前記エレクトロクロミック層に駆動電圧を印加する手段１と、
前記表示パネルに前記白色画像を表示する手段２とを有し、
前記エレクトロクロミック層は、印加される駆動電圧に応じて、前記エレクトロクロミック層を透過する透過光のスペクトルが制御可能であり、
前記手段１は、前記手段２により前記表示パネルに表示される画像に同期して、前記エレクトロクロミック層に印加する駆動電圧を制御し、前記エレクトロクロミック層を透過する透過光のスペクトルを制御することを特徴とする表示装置。
【請求項２】
前記手段２が、前記表示パネルに表示する画像は、第１の色、第２の色、および、第３の色の白色画像であり、
前記表示パネルに表示される画像が、前記第１の色の白色画像の場合に、前記手段１は、前記エレクトロクロミック層に印加する駆動電圧を制御し、前記エレクトロクロミック層を透過する透過光を前記第１の色の光に制御し、
前記表示パネルに表示される画像が、前記第２の色の白色画像の場合に、前記手段１は、前記エレクトロクロミック層に印加する駆動電圧を制御し、前記エレクトロクロミック層を透過する透過光を前記第２の色の光に制御し、
前記表示パネルに表示される画像が、前記第３の色の白色画像の場合に、前記手段１は、前記エレクトロクロミック層に印加する駆動電圧を制御し、前記エレクトロクロミック層を透過する透過光を前記第３の色の光に制御することを特徴とする請求項１に記載の表示装置。
【請求項３】
前記手段１は、上部ＥＣ電極と、
下部ＥＣ電極とを有し、
前記エレクトロクロミック層は、前記上部ＥＣ電極と前記下部ＥＣ電極との間に挟持され、
前記表示パネルは、上部電極と、
下部電極と、
前記上部電極と前記下部電極との間に挟持される白色発光層とを有する有機ＥＬ素子であることを特徴とする請求項１に記載の表示装置。
【請求項４】
前記上部電極は、前記下部ＥＣ電極を兼用することを特徴とする請求項３に記載の表示装置。
【請求項５】
前記エレクトロクロミック層は、複数の領域に分割されており、
前記手段１は、前記エレクトロクロミック層の前記分割された領域を透過する透過光をそれぞれ制御することを特徴とする請求項１に記載の表示装置。
【請求項６】
白色画像を表示する表示パネルと、
前記有機表示パネル上に積層される第１のエレクトロクロミック層と第２のエレクトロクロミック層とを有する表示装置であって、
前記第１のエレクトロクロミック層と前記第２のエレクトロクロミック層に駆動電圧を印加する手段１と、
前記表示パネルに前記白色画像を表示する手段２とを有し、
前記第１のエレクトロクロミック層と前記第２のエレクトロクロミック層は、印加される駆動電圧に応じて、前記エレクトロクロミック層を透過する透過光のスペクトルが制御可能であり、
前記手段１は、前記手段２により前記表示パネルに表示される画像に同期して、前記第１のエレクトロクロミック層と前記第２のエレクトロクロミック層に印加する駆動電圧を制御し、前記第１のエレクトロクロミック層と前記第２のエレクトロクロミック層を透過する透過光のスペクトルを制御することを特徴とする表示装置。
【請求項７】
前記手段２が、前記表示パネルに表示する画像は、第１の色、第２の色、および、第３の色の白色画像であり、
前記表示パネルに表示される画像が、前記第１の色の白色画像の場合に、前記手段１は、前記第１のエレクトロクロミック層と前記第２のエレクトロクロミック層に印加する駆動電圧を制御し、前記第１のエレクトロクロミック層と前記第２のエレクトロクロミック層を透過する透過光を前記第１の色の光に制御し、
前記表示パネルに表示される画像が、前記第２の色の白色画像の場合に、前記手段１は、前記第１のエレクトロクロミック層と前記第２のエレクトロクロミック層に印加する駆動電圧を制御し、前記第１のエレクトロクロミック層と前記第２のエレクトロクロミック層を透過する透過光を前記第２の色の光に制御し、
前記表示パネルに表示される画像が、前記第３の色の白色画像の場合に、前記手段１は、前記第１のエレクトロクロミック層と前記第２のエレクトロクロミック層に印加する駆動電圧を制御し、前記第１のエレクトロクロミック層と前記第２のエレクトロクロミック層を透過する透過光を前記第３の色の光に制御することを特徴とする請求項６に記載の表示装置。
【請求項８】
前記手段１は、第１および第２の上部ＥＣ電極と、
第１および第２の下部ＥＣ電極とを有し、
前記第１のエレクトロクロミック層は、前記第１の上部ＥＣ電極と前記第１の下部ＥＣ電極との間に挟持されており、
前記第２のエレクトロクロミック層は、前記第２の上部ＥＣ電極と前記第２の下部ＥＣ電極との間に挟持されており、
前記表示パネルは、上部電極と、
前記下部電極と、
前記上部電極と前記下部電極との間に挟持される白色発光層とを有することを特徴とする請求項６に記載の表示装置。
【請求項９】
前記第２の上部ＥＣ電極は、前記第１の下部ＥＣ電極を兼用し、
前記上部ＯＬＥＤ電極は、前記第２の下部ＥＣ電極を兼用することを特徴とする請求項８に記載の表示装置。
【請求項１０】
前記第１のエレクトロクロミック層と、前記第２のエレクトロクロミック層は、複数の領域に分割されており、
前記手段１は、前記第１のエレクトロクロミック層と前記第２のエレクトロクロミック層の前記分割された領域を透過する透過光をそれぞれ制御することを特徴とする請求項５に記載の表示装置。
【請求項１１】
白色画像を表示する表示パネルと、
前記有機表示パネル上に積層される第１のエレクトロクロミック層と第２のエレクトロクロミック層と第３のエレクトロクロミック層とを有する表示装置であって、
前記第１のエレクトロクロミック層ないし前記第３のエレクトロクロミック層に駆動電圧を印加する手段１と、
前記表示パネルに前記白色画像を表示する手段２とを有し、
前記第１のエレクトロクロミック層ないし前記第３のエレクトロクロミック層は、印加される駆動電圧に応じて、前記エレクトロクロミック層を透過する透過光のスペクトルが制御可能であり、
前記手段１は、前記手段２により前記表示パネルに表示される画像に同期して、前記第１のエレクトロクロミック層ないし前記第２のエレクトロクロミック層に印加する駆動電圧を制御し、前記第１のエレクトロクロミック層ないし前記第２のエレクトロクロミック層を透過する透過光のスペクトルを制御することを特徴とする表示装置。
【請求項１２】
前記手段２が、前記表示パネルに表示する画像は、第１の色、第２の色、および、第３の色の白色画像であり、
前記表示パネルに表示される画像が、前記第１の色の白色画像の場合に、前記手段１は、前記第１のエレクトロクロミック層ないし前記第３のエレクトロクロミック層に印加される駆動電圧を制御し、前記第１のエレクトロクロミック層ないし前記第３のエレクトロクロミック層を透過する透過光を前記第１の色の光に制御し、
前記表示パネルに表示される画像が、前記第２の色の白色画像の場合に、前記手段１は、前記第１のエレクトロクロミック層ないし前記第３のエレクトロクロミック層に印加される駆動電圧を制御し、前記第１のエレクトロクロミック層ないし前記第３のエレクトロクロミック層を透過する透過光を前記第２の色の光に制御し、
前記表示パネルに表示される画像が、前記第２の色の白色画像の場合に、前記手段１は、前記第１のエレクトロクロミック層ないし前記第３のエレクトロクロミック層に印加される駆動電圧を制御し、前記第１のエレクトロクロミック層ないし前記第３のエレクトロクロミック層を透過する透過光を前記第３の色の光に制御することを特徴とする請求項１１に記載の表示装置。
【請求項１３】
前記手段１は、第１ないし第３の上部ＥＣ電極と、
第１ないし第３の下部ＥＣ電極とを有し、
前記第１のエレクトロクロミック層は、前記第１の上部ＥＣ電極と前記第１の下部ＥＣ電極との間に挟持されており、
前記第２のエレクトロクロミック層は、前記第２の上部ＥＣ電極と前記第２の下部ＥＣ電極との間に挟持されており、
前記第３のエレクトロクロミック層は、前記第３の上部ＥＣ電極と前記第３の下部ＥＣ電極との間に挟持されており、
前記表示パネルは、上部電極と、
下部電極と、
前記上部電極と前記下部電極との間に挟持される白色発光層とを有することを特徴とする請求項１１に記載の表示装置。
【請求項１４】
前記第２の上部ＥＣ電極は、前記第１の下部ＥＣ電極を兼用し、
前記第３の上部ＥＣ電極は、前記第２の下部ＥＣ電極を兼用し、
前記上部電極は、前記第３の下部ＥＣ電極を兼用することを特徴とする請求項１３に記載の表示装置。
【請求項１５】
前記第１のエレクトロクロミック層と、前記第２のエレクトロクロミック層と、前記第３のエレクトロクロミック層は、複数の領域に分割されており、
前記手段１は、前記第１エレクトロクロミック層ないし前記第３のエレクトロクロミック層の前記分割された領域を透過する透過光をそれぞれ制御することを特徴とする請求項１１に記載の表示装置。
【請求項１６】
前記表示装置は、有機ＥＬ表示装置又は液晶表示装置であることを特徴とする請求項１に記載の表示装置。
【発明の詳細な説明】
【技術分野】
【０００１】
本発明は、表示装置に係わり、特に、白色画像を表示する有機ＥＬ表示パネルにエレクトロクロミック層を積層して、容易に高精細カラー表示が可能な表示装置に関する。
【背景技術】
【０００２】
有機ＥＬ（Electro Luminescence）素子（ＯＬＥＤ；Oganic Light Emitting Diode）を用いた有機ＥＬ表示装置は、消費電力、軽さ、薄さ、動画特性、視野角特性の点で優れており、近年、有機ＥＬ表示装置の開発、実用化が進んでいる。
カラー表示を行う有機ＥＬ表示パネルとして、以下の２つの有機ＥＬ表示パネルが知られている。
（１）有機ＥＬ素子（ＯＬＥＤ）として、赤（Ｒ）、緑（Ｇ）、青（Ｂ）のそれぞれの発光素子を使用して、カラー表示を行う３色方式の有機ＥＬ表示パネル。
（２）有機ＥＬ素子（ＯＬＥＤ）として、白色を発光するものを使用し、赤（Ｒ）、緑（Ｇ）、青（Ｂ）のカラーフィルタを通すことで、カラー表示を行うカラーフィルタ方式の有機ＥＬ表示パネル。
【先行技術文献】
【特許文献】
【０００３】
【特許文献１】特開２００５−８５６８３号公報
【０００４】
【特許文献２】特開２０１１−３５０８７号公報
【発明の概要】
【発明が解決しようとする課題】
【０００５】
前述の３色方式の有機ＥＬ表示パネルは、１画素に３個以上のサブピクセルが必要であり、高精細化が難しい、あるいは、高精細のＲＧＢ別構造では、プロセスマージンが厳しく製造設備が高価となるという問題点がある。
前述のカラーフィルタ方式の有機ＥＬ表示パネルでも、高精細化に限度があり、コストの低減が難しいという問題点がある。
本発明は、前記従来技術の問題点を解決するためになされたものであり、本発明の目的は、カラーフィルタや、赤（Ｒ）、緑（Ｇ）、青（Ｂ）のサブピクセルを使用しないで、容易に高精細カラー表示が可能となる表示装置を提供する。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
本発明では、白色画像を表示する表示パネル上に、フィルタとして機能するエレクトロクロミック層を積層し、表示パネルに表示される、例えば赤（Ｒ）、緑（Ｇ）、青（Ｂ）用の白色画像（輝度のみの画像）に同期して、エレクトロクロミック層に印加する駆動電圧を制御して、エレクトロクロミック層を透過する透過光を、赤（Ｒ）、緑（Ｇ）、青（Ｂ）に変化させることにより、フィールドシーケンシャル方式でカラー画像を表示する。
これにより、本発明では、カラーフィルタや、赤（Ｒ）、緑（Ｇ）、青（Ｂ）のサブピクセルを使用しないで、容易に高精細カラー表示が可能となる。
なお、前述の特許文献１には、フォトクロミック材料を用いて、強い外光の下であっても、ボトムエミッション型の有機ＥＬ表示パネルに表示される画像の鮮明度を確保することが開示されている。
また、前述の特許文献２には、エレクトロクロミック材料を、有機ＥＬ表示パネルに表示される画像の輝度を低下させるＮＤフィルタ（減光フィルタ）として機能させることが開示されている。
しかしながら、前述の特許文献１、特許文献２には、白色画像を表示する表示パネル上にエレクトロクロミック層を積層し、当該エレクトロクロミック層をフィルタとして機能させることは開示されていない。
【発明の効果】
【０００７】
本願において開示される発明のうち代表的なものによって得られる効果を簡単に説明すれば、下記の通りである。
本発明によれば、カラーフィルタや、赤（Ｒ）、緑（Ｇ）、青（Ｂ）のサブピクセルを使用しないで、容易に高精細カラー表示が可能となる表示装置を提供することが可能となる。
【図面の簡単な説明】
【０００８】
【図１】本発明の実施例１の表示装置の構成を示す断面図である。
【図２】本発明の実施例１の表示装置の駆動方法を説明するための図である。
【図３】本発明の実施例２の表示装置の構成を示す断面図である。
【図４】本発明の実施例３の表示装置の構成を示す断面図である。
【図５】本発明の実施例４の表示装置の構成を示す断面図である。
【図６】本発明の各実施例の表示装置の他の駆動方法を説明するための図である。
【図７】スタテック駆動のセグメント型の表示装置を説明する図である。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
図１は、本発明の実施例１の表示装置の構成を示す断面図である。
本実施例では、第１基板（ＳＵＢ１）側に、トップエミッション方式の有機ＥＬ表示パネル（ＰＮＬ）が形成される。図１では、第１基板（ＳＵＢ１）、ＴＦＴ回路形成部１０１、反射層１０２、ＯＬＥＤ下部電極１０３、絶縁層１０４、白色発光層１０５、ＯＬＥＤ上部透明電極１０６、封止層・充填層１０７が、トップエミッション方式の有機ＥＬ表示パネル（ＰＮＬ）を構成する。
また、第２基板（ＳＵＢ２）側に、フィルタとして機能するエレクトロクロミック層（ＥＣ）が形成される。
エレクトロクロミック層（ＥＣ）は、ＥＣ上部透明電極１０とＥＣ下部透明電極１１との間に挟持されており、ＥＣ上部透明電極１０とＥＣ下部透明電極１１に供給する電圧（図１のＥＶ）を制御して、エレクトロクロミック層（ＥＣ）に印加する駆動電圧を制御することにより、エレクトロクロミック層（ＥＣ）を透過する透過光のスペクトルを変化させる。なお、ＥＣ上部透明電極１０とＥＣ下部透明電極１１については、必要に応じて絶縁層を挟む必要がある。
エレクトロクロミック層（ＥＣ）は、例えば、ポリパラフェニレン、ポリチオフェン、ポリフェニレンビニレン、ポリピロール、ポリアニリン、アリールアミン置換ポリアリーレンビニレン、ポリフルオレンポリマーよりなる群から選択される共役ポリマーで構成される。
【００１０】
図２は、本発明の実施例１の表示装置の駆動方法を説明するための図である。
図２に示すように、本実施例では、ＯＬＥＤ駆動回路（ＣＩＲＯＬＥＤ）により、有機ＥＬ表示パネル（ＰＮＬ）に白色画像（輝度画像）を表示する。そして、ＯＬＥＤ駆動回路（ＣＩＲＯＬＥＤ）に同期して、ＥＣ駆動回路（ＣＩＲＥＣ）により、エレクトロクロミック層（ＥＣ）に印加する駆動電圧を制御し、エレクトロクロミック層（ＥＣ）を透過する透過光のスペクトルを変化させることにより、フィールドシーケンシャル方式でカラー画像を表示する。
例えば、１フレーム期間を第１ないし第３の期間の３つの期間に分割し、最初の第１の期間に、ＯＬＥＤ駆動回路（ＣＩＲＯＬＥＤ）により、有機ＥＬ表示パネル（ＰＮＬ）に赤（Ｒ）の白色画像（輝度画像）を表示するとともに、ＥＣ駆動回路（ＣＩＲＥＣ）により、エレクトロクロミック層（ＥＣ）に印加する駆動電圧を制御し、エレクトロクロミック層（ＥＣ）を透過する透過光のスペクトルを赤（Ｒ）とする。
また、次の第２の期間に、ＯＬＥＤ駆動回路（ＣＩＲＯＬＥＤ）により、有機ＥＬ表示パネル（ＰＮＬ）に緑（Ｇ）の白色画像（輝度画像）を表示するとともに、ＥＣ駆動回路（ＣＩＲＥＣ）により、エレクトロクロミック層（ＥＣ）に印加する駆動電圧を制御し、エレクトロクロミック層（ＥＣ）を透過する透過光のスペクトルを緑（Ｇ）とする。
そして、最後の第３の期間に、ＯＬＥＤ駆動回路（ＣＩＲＯＬＥＤ）により、有機ＥＬ表示パネル（ＰＮＬ）に青（Ｂ）の白色画像（輝度画像）を表示するとともに、ＥＣ駆動回路（ＣＩＲＥＣ）により、エレクトロクロミック層（ＥＣ）に印加する駆動電圧を制御し、エレクトロクロミック層（ＥＣ）を透過する透過光のスペクトルを青（Ｂ）として、フィールドシーケンシャル方式でカラー画像を表示する。
なお、エレクトロクロミック層（ＥＣ）において透過させる透過光は、赤（Ｒ）、緑（Ｇ）、青（Ｂ）、黄色（Ｙ）、シアン（Ｃｙ）、マゼンダ（Ｍｇ）、白（Ｗ）、のうちの複数色として、これらの混合でカラー表示を行う。
本実施例によれば、赤（Ｒ）、緑（Ｇ）、青（Ｂ）のサブピクセルを有する従来の３色方式の有機ＥＬ表示パネルに比して、赤（Ｒ）、緑（Ｇ）、青（Ｂ）の画像を１つのサブピクセルで表示するので、画素サイズに３倍以上の余裕ができ、高精細化が容易である。
また、本実施例によれば、別途カラーフィルタを用いないので、容易に高精細カラー表示が実現でき、さらに、混色が無くなるので、視野角依存性が減少する。
【００１１】
図３は、本発明の実施例２の表示装置の１画素の構成を示す断面図である。
本実施例は、ＥＣ上部透明電極１０とエレクトロクロミック層（ＥＣ）を、ＯＬＥＤ上部透明電極１０６上に設け、ＥＣ上部透明電極１０の上に封止層・充填層１０７を設け、かつ、ＯＬＥＤ上部透明電極１０６がＥＣ下部透明電極１１を兼用する点で、前述の実施例１と相違するが、それ以外の構成、および、動作は、前述の実施例１と同じであるので再度の説明は省略する。
本実施例では、ＯＬＥＤ上部透明電極１０６とＥＣ下部透明電極１１を共通化できるので、本実施例は、前述の実施例１よりも構造が簡単であり、作製が容易である。
さらに、前述の実施例１と比して、透明電極（ＥＣ下部透明電極１１）を１層削減できるので、有機ＥＬ素子の白色発光層１０５で発光された光の減少を少なくすることができる。
【００１２】
図４は、本発明の実施例３の表示装置の１画素の構成を示す断面図である。
本実施例は、第１のエレクトロクロミック層（ＥＣ１）と、第２のエレクトロクロミック層（ＥＣ２）の２層のエレクトロクロミック層を、封止層・充填層１０７上に積層した点で、前述の実施例１と相違する。
第１のエレクトロクロミック層（ＥＣ１）は、ＥＣ中間透明電極２１とＥＣ下部透明電極２２との間に挟持されており、また、第２のエレクトロクロミック層（ＥＣ１）は、ＥＣ上部透明電極２０とＥＣ中間透明電極２１との間に挟持されている。
ＥＣ上部透明電極２０とＥＣ中間透明電極２１とＥＣ下部透明電極２２に供給する電圧を制御し、第１のエレクトロクロミック層（ＥＣ１）と、第２のエレクトロクロミック層（ＥＣ２）に印加する駆動電圧を制御することにより、第１のエレクトロクロミック層（ＥＣ１）と、第２のエレクトロクロミック層（ＥＣ２）を透過する透過光のスペクトルを変化させる。なお、ＥＣ上部透明電極２０とＥＣ中間透明電極２１とＥＣ下部透明電極２２については、必要に応じて絶縁層を挟む必要がある。
第１のエレクトロクロミック層（ＥＣ１）と第２のエレクトロクロミック層（ＥＣ２）は、例えば、ポリパラフェニレン、ポリチオフェン、ポリフェニレンビニレン、ポリピロール、ポリアニリン、アリールアミン置換ポリアリーレンビニレン、ポリフルオレンポリマーよりなる群から選択される共役ポリマーで構成される。
【００１３】
本実施例では、ＯＬＥＤ駆動回路（ＣＩＲＯＬＥＤ）により、有機ＥＬ表示パネル（ＰＮＬ）に白色画像（輝度画像）を表示する。そして、ＯＬＥＤ駆動回路（ＣＩＲＯＬＥＤ）に同期して、ＥＣ駆動回路（ＣＩＲＥＣ）により、第１のエレクトロクロミック層（ＥＣ１）と第２のエレクトロクロミック層（ＥＣ２）に印加する駆動電圧を制御し、第１のエレクトロクロミック層（ＥＣ１）と第２のエレクトロクロミック層（ＥＣ２）を透過する透過光のスペクトルを変化させることにより、フィールドシーケンシャル方式でカラー画像を表示する。
例えば、１フレーム期間を第１ないし第３の期間の３つの期間に分割し、最初の第１の期間に、ＯＬＥＤ駆動回路（ＣＩＲＯＬＥＤ）により、有機ＥＬ表示パネル（ＰＮＬ）に赤（Ｒ）の白色画像（輝度画像）を表示するとともに、ＥＣ駆動回路（ＣＩＲＥＣ）により、第１のエレクトロクロミック層（ＥＣ１）と第２のエレクトロクロミック層（ＥＣ２）に印加する駆動電圧を制御し、第１のエレクトロクロミック層（ＥＣ１）と第２のエレクトロクロミック層（ＥＣ２）を透過する透過光のスペクトルを赤（Ｒ）とする。
また、次の第２の期間に、ＯＬＥＤ駆動回路（ＣＩＲＯＬＥＤ）により、有機ＥＬ表示パネル（ＰＮＬ）に緑（Ｇ）の白色画像（輝度画像）を表示するとともに、ＥＣ駆動回路（ＣＩＲＥＣ）により、第１のエレクトロクロミック層（ＥＣ１）と第２のエレクトロクロミック層（ＥＣ２）に印加する駆動電圧を制御し、第１のエレクトロクロミック層（ＥＣ１）と第２のエレクトロクロミック層（ＥＣ２）を透過する透過光のスペクトルを緑（Ｇ）とする。
そして、最後の第３の期間に、ＯＬＥＤ駆動回路（ＣＩＲＯＬＥＤ）により、有機ＥＬ表示パネル（ＰＮＬ）に青（Ｂ）の白色画像（輝度画像）を表示するとともに、ＥＣ駆動回路（ＣＩＲＥＣ）により、第１のエレクトロクロミック層（ＥＣ１）と第２のエレクトロクロミック層（ＥＣ２）に印加する駆動電圧を制御し、第１のエレクトロクロミック層（ＥＣ１）と第２のエレクトロクロミック層（ＥＣ２）を透過する透過光のスペクトルを青（Ｂ）とし、フィールドシーケンシャル方式でカラー画像を表示して、フィールドシーケンシャル方式でカラー画像を表示する。
なお、第１のエレクトロクロミック層（ＥＣ１）と第２のエレクトロクロミック層（ＥＣ２）において透過させる透過光は、赤（Ｒ）、緑（Ｇ）、青（Ｂ）、黄色（Ｙ）、シアン（Ｃｙ）、マゼンダ（Ｍｇ）、白（Ｗ）、のうちの複数色として、これらの混合でカラー表示を行う。
【００１４】
第１のエレクトロクロミック層（ＥＣ１）と第２のエレクトロクロミック層（ＥＣ２）の２層のエレクトロクロミック層において、透過させる透過光の制御は、第１のエレクトロクロミック層（ＥＣ１）または第２のエレクトロクロミック層（ＥＣ２）の単独で、あるいは、第１のエレクトロクロミック層（ＥＣ１）と第２のエレクトロクロミック層（ＥＣ２）の混合で実施してもよい。
例えば、透過光が、赤（Ｒ）の場合、第１のエレクトロクロミック層（ＥＣ１）を透過する透過光を赤（Ｒ）とし、第２のエレクトロクロミック層（ＥＣ２）を透明としてもよいし、第１のエレクトロクロミック層（ＥＣ１）を透過する透過光と、第２のエレクトロクロミック層（ＥＣ２）を透過する透過光の混合により、透過光を赤（Ｒ）としてもよい。
本実施例でも、赤（Ｒ）、緑（Ｇ）、青（Ｂ）のサブピクセルを有する従来の３色方式の有機ＥＬ表示パネルに比して、赤（Ｒ）、緑（Ｇ）、青（Ｂ）の画像を１つのサブピクセルで表示するので、画素サイズに３倍以上の余裕ができ、高精細化が容易である。
また、本実施例によれば、カラーフィルタを用いないので、容易に高精細カラー表示が実現でき、さらに、混色が無くなるので、視野角依存性が減少する。
さらに、本実施例では、前述の実施例１、実施例２よりも、透過色の自由度が高く、２色の混合で広い色範囲の画像が表示できる。
なお、本実施例においても、前述の実施例２と同様、ＥＣ上部透明電極２０と第２のエレクトロクロミック層（ＥＣ２）とＥＣ中間透明電極２１と第１のエレクトロクロミック層（ＥＣ１）を、ＯＬＥＤ上部透明電極１０６上に設け、ＥＣ上部透明電極２０の上に封止層・充填層１０７を設け、かつ、ＯＬＥＤ上部透明電極１０６がＥＣ下部透明電極２２を兼用するようにしてもよい。
【００１５】
図５は、本発明の実施例４の表示装置の１画素の構成を示す断面図である。
本実施例は、第１のエレクトロクロミック層（ＥＣ１）と、第２のエレクトロクロミック層（ＥＣ２）、第３のエレクトロクロミック層（ＥＣ３）の３層のエレクトロクロミック層を、封止層・充填層１０７上に積層した点で、前述の実施例１と相違する。
第１のエレクトロクロミック層（ＥＣ１）は、ＥＣ中間透明電極１（３２）とＥＣ下部透明電極３３との間に挟持されており、また、第２のエレクトロクロミック層（ＥＣ２）は、ＥＣ中間透明電極２（３１）とＥＣ中間透明電極１（３２）との間に挟持されており、さらに、第３のエレクトロクロミック層（ＥＣ３）は、ＥＣ上部透明電極３０とＥＣ中間透明電極２（３１）との間に挟持されている。
ＥＣ上部透明電極３０とＥＣ中間透明電極１（３１）とＥＣ中間透明電極２（３２）とＥＣ下部透明電極３３に供給する電圧を制御し、第１のエレクトロクロミック層（ＥＣ１）ないし第３のエレクトロクロミック層（ＥＣ３）に印加する駆動電圧を制御することにより、第１のエレクトロクロミック層（ＥＣ１）ないし第３のエレクトロクロミック層（ＥＣ３）を透過する透過光のスペクトルを変化させる。なお、ＥＣ上部透明電極３０とＥＣ中間透明電極２（３１）とＥＣ中間透明電極１（３２）とＥＣ下部透明電極３３については、必要に応じて絶縁層を挟む必要がある。
第１のエレクトロクロミック層（ＥＣ１）と第２のエレクトロクロミック層（ＥＣ２）第３のエレクトロクロミック層（ＥＣ３）は、例えば、ポリパラフェニレン、ポリチオフェン、ポリフェニレンビニレン、ポリピロール、ポリアニリン、アリールアミン置換ポリアリーレンビニレン、ポリフルオレンポリマーよりなる群から選択される共役ポリマーで構成される。
【００１６】
本実施例では、ＯＬＥＤ駆動回路（ＣＩＲＯＬＥＤ）により、有機ＥＬ表示パネル（ＰＮＬ）に白色画像（輝度画像）を表示する。そして、ＯＬＥＤ駆動回路（ＣＩＲＯＬＥＤ）に同期して、ＥＣ駆動回路（ＣＩＲＥＣ）により、第１のエレクトロクロミック層（ＥＣ１）ないし第３のエレクトロクロミック層（ＥＣ３）に印加する駆動電圧を制御し、第１のエレクトロクロミック層（ＥＣ１）ないし第３のエレクトロクロミック層（ＥＣ３）を透過する透過光のスペクトルを変化させることにより、フィールドシーケンシャル方式でカラー画像を表示する。
例えば、１フレーム期間を第１ないし第３の期間の３つの期間に分割し、最初の第１の期間に、ＯＬＥＤ駆動回路（ＣＩＲＯＬＥＤ）により、有機ＥＬ表示パネル（ＰＮＬ）に赤（Ｒ）の白色画像（輝度画像）を表示するとともに、ＥＣ駆動回路（ＣＩＲＥＣ）により、第１のエレクトロクロミック層（ＥＣ１）ないし第３のエレクトロクロミック層（ＥＣ３）に印加する駆動電圧を制御し、第１のエレクトロクロミック層（ＥＣ１）ないし第３のエレクトロクロミック層（ＥＣ３）を透過する透過光のスペクトルを赤（Ｒ）とする。
また、次の第２の期間に、ＯＬＥＤ駆動回路（ＣＩＲＯＬＥＤ）により、有機ＥＬ表示パネル（ＰＮＬ）に緑（Ｇ）の白色画像（輝度画像）を表示するとともに、ＥＣ駆動回路（ＣＩＲＥＣ）により、第１のエレクトロクロミック層（ＥＣ１）ないし第３のエレクトロクロミック層（ＥＣ３）に印加する駆動電圧を制御し、第１のエレクトロクロミック層（ＥＣ１）ないし第３のエレクトロクロミック層（ＥＣ３）を透過する透過光のスペクトルを緑（Ｇ）とする。
そして、最後の第３の期間に、ＯＬＥＤ駆動回路（ＣＩＲＯＬＥＤ）により、有機ＥＬ表示パネル（ＰＮＬ）に青（Ｂ）の白色画像（輝度画像）を表示するとともに、ＥＣ駆動回路（ＣＩＲＥＣ）により、第１のエレクトロクロミック層（ＥＣ１）ないし第３のエレクトロクロミック層（ＥＣ３）に印加する駆動電圧を制御し、第１のエレクトロクロミック層（ＥＣ１）ないし第３のエレクトロクロミック層（ＥＣ３）を透過する透過光のスペクトルを青（Ｂ）として、フィールドシーケンシャル方式でカラー画像を表示する。
なお、第１のエレクトロクロミック層（ＥＣ１）と第２のエレクトロクロミック層（ＥＣ２）第３のエレクトロクロミック層（ＥＣ３）において透過させる透過光は、赤（Ｒ）、緑（Ｇ）、青（Ｂ）、黄色（Ｙ）、シアン（Ｃｙ）、マゼンダ（Ｍｇ）、白（Ｗ）、のうちの複数色として、これらの混合でカラー表示を行う。
【００１７】
第１のエレクトロクロミック層（ＥＣ１）と第２のエレクトロクロミック層（ＥＣ２）と第３のエレクトロクロミック層（ＥＣ３）の３層のエレクトロクロミック層において、透過させる透過光の制御は、第１のエレクトロクロミック層（ＥＣ１）、第２のエレクトロクロミック層（ＥＣ２）、または、第３のエレクトロクロミック層（ＥＣ３）の単独で、あるいは、第１のエレクトロクロミック層（ＥＣ１）、第２のエレクトロクロミック層（ＥＣ２）、および、第３のエレクトロクロミック層（ＥＣ３）の混合で実施してもよい。
例えば、透過光が、赤（Ｒ）の場合、第１のエレクトロクロミック層（ＥＣ１）を透過する透過光を赤（Ｒ）とし、第２および第３のエレクトロクロミック層（ＥＣ２，ＥＣ３）を透明としてもよいし、第１のエレクトロクロミック層（ＥＣ１）を透過する透過光と第２のエレクトロクロミック層（ＥＣ２）を透過する透過光の混合、あるいは、第２のエレクトロクロミック層（ＥＣ２）を透過する透過光と第３のエレクトロクロミック層（ＥＣ３）を透過する透過光の混合、または、第１のエレクトロクロミック層（ＥＣ１）を透過する透過光ないし第３のエレクトロクロミック層（ＥＣ３）を透過する透過光の混合により、透過光を赤（Ｒ）としてもよい。
【００１８】
本実施例でも、赤（Ｒ）、緑（Ｇ）、青（Ｂ）のサブピクセルを有する従来の３色方式の有機ＥＬ表示パネルに比して、赤（Ｒ）、緑（Ｇ）、青（Ｂ）の画像を１つのサブピクセルで表示するので、画素サイズに３倍以上の余裕ができ、高精細化が容易である。
また、本実施例によれば、カラーフィルタを用いないので、容易に高精細カラー表示が実現でき、さらに、混色が無くなるので、視野角依存性が減少する。
さらに、本実施例では、前述の実施例１、実施例２、実施例３よりも、透過色の自由度が高く、２色、あるいは、３色の混合で広い色範囲の画像が表示できる。
なお、本実施例においても、前述の実施例２と同様、ＥＣ上部透明電極３０と第３のエレクトロクロミック層（ＥＣ３）とＥＣ中間透明電極２（３１）と第２のエレクトロクロミック層（ＥＣ２）とＥＣ中間透明電極２（３２）と第１のエレクトロクロミック層（ＥＣ１）を、ＯＬＥＤ上部透明電極１０６上に設け、ＥＣ上部透明電極３０の上に封止層・充填層１０７を設け、かつ、ＯＬＥＤ上部透明電極１０６がＥＣ下部透明電極３３を兼用するようにしてもよい。
【００１９】
なお、前述の各実施例では、エレクトロクロミック層（ＥＣ，ＥＣ１，ＥＣ２，ＥＣ３）を一括して駆動する場合について説明したが、例えば、図６に示すように、エレクトロクロミック層（ＥＣ，ＥＣ１，ＥＣ２，ＥＣ３）を分割して駆動するようにしてもよい。なお、図６は、本発明の各実施例の表示装置の他の駆動方法を説明するための図である。
図６では、エレクトロクロミック層（ＥＣ，ＥＣ１，ＥＣ２，ＥＣ３）を複数の領域に分割し（図６では、６個の領域）、ＥＣ駆動回路（ＣＩＲＥＣ）は、分割されたそれぞれの領域を、時分割、あるいは、個々に独立して駆動する。
図６に示す駆動方法によれば、ＥＣ駆動回路（ＣＩＲＥＣ）の負荷容量となる、エレクトロクロミック層（ＥＣ，ＥＣ１，ＥＣ２，ＥＣ３）自体の容量を低減することができるので、より高速で駆動することができる。
なお、前述の各実施例において、明るい場所では、有機ＥＬ表示パネル（ＰＮＬ）の発光を停止し、有機ＥＬ素子の反射層１０２を用いる反射型とすることで、低消費電力駆動が可能となる。
また、本発明は、画素がマトリクス状に配置され、ダイナミック駆動で駆動される表示装置以外にも、図７に示すような、スタテック駆動のセグメント型の表示装置にも適用可能である。
図７に示すようなスタテック駆動のセグメント型の表示装置に、本発明を適用する場合には、図７に示すＡないしＧの７セグメントが、前述した白色画像を表示する有機ＥＬ素子、エレクトロクロミック層（ＥＣ，ＥＣ１〜ＥＣ３）を備えることになる。
以上、本発明者によってなされた発明を、前記実施例に基づき具体的に説明したが、本発明は、前記実施例に限定されるものではなく、その要旨を逸脱しない範囲において種々変更可能であることは勿論である。また本実施例では有機ＥＬ素子を用いて説明したが、例えば有機ＥＬ素子の代わりに、白画像を表示する液晶素子へも同様の効果を持って応用できることは言うまでもない。
【符号の説明】
【００２０】
１０，２０，３０  ＥＣ上部透明電極
２１，３１，３２  ＥＣ中間透明電極
１１，２２，３３  ＥＣ下部透明電極
１０１  ＴＦＴ回路形成部
１０２  反射層
１０３  ＯＬＥＤ下部電極
１０４  絶縁層
１０５  白色発光層
１０６  ＯＬＥＤ上部透明電極
１０７  封止層・充填層
ＳＵＢ１  第１基板
ＳＵＢ２  第２基板
ＥＣ，ＥＣ１，ＥＣ２，ＥＣ３  エレクトロクロミック層
ＣＩＲＯＬＥＤ  ＯＬＥＤ駆動回路
ＣＩＲＥＣ  ＥＣ駆動回路
【図１】
2014119639.tif 000003
【図２】
2014119639.tif 000004
【図３】
2014119639.tif 000005
【図４】
2014119639.tif 000006
【図５】
2014119639.tif 000007
【図６】
2014119639.tif 000008
【図７】
2014119639.tif 000009